(57)【要約】      （修正有）【課題】樹脂系屋根材に取付けされる吊り子の締め付け又は打ち込み具合を簡単且つ安定して行うことができる吊り子の取付構造を提供する。【解決手段】屋根の下地Ｓ上に葺かれた樹脂系屋根材Ｙに取付ける吊り子１の取付構造Ａであって、前記吊り子１は、基板１１の前方に上方に向けて折返した係止片部１２と、前記基板１１の基端側に開設された取付孔１３を備えてなり、前記吊り子１を所望の樹脂系屋根材Ｙの山部Ｙ１棟側端の近傍に配置すると共に、前記樹脂系屋根材Ｙと下地Ｓとの間には、この樹脂系屋根材Ｙを支持するスペーサー２が設置され、前記吊り子１の取付孔１３から前記スペーサー２を介して固定具３を下地Ｓに捩じ込み又は打ち込みして、前記吊り子１を所望の樹脂系屋根材Ｙに取り付けてなる。【選択図】図２
2006328813.tif 000002
【特許請求の範囲】
【請求項１】
屋根の下地上に葺かれた樹脂系屋根材に取付ける吊り子の取付構造であって、
前記吊り子は、基板の前方に上方に向けて折返した係止片部と、前記基板に開設された取付孔を備えてなり、
前記吊り子を所望の樹脂系屋根材の山部棟側端の近傍に配置すると共に、前記樹脂系屋根材と下地との間には、この樹脂系屋根材を支持するスペーサーが設置され、前記吊り子の取付孔から前記スペーサーを介して固定具を下地に捩じ込み又は打ち込みして、前記吊り子を所望の樹脂系屋根材に取り付けてなることを特徴とする吊り子の取付構造。
【請求項２】
請求項１において、
吊り子とスペーサーは、一体形成されてなることを特徴とする吊り子の取付構造。
【請求項３】
請求項１において、
吊り子とスペーサーは、別体で形成されてなることを特徴とする吊り子の取付構造。
【発明の詳細な説明】
【技術分野】
【０００１】
本発明は、屋根の下地上に葺かれる樹脂系屋根材を取付けるための吊り子の取付構造に関する。
【背景技術】
【０００２】
一般に、家屋等の屋根には、屋根瓦が葺かれているが、近年では、屋根瓦の軽量化、デザイン化に伴って、樹脂系屋根材が開発されている（例えば、特許文献１参照。）。
【０００３】
この樹脂系屋根材は、従来の屋根瓦同様の強度を維持するため、山部と谷部とが連続した波板状に形成されており、この樹脂系屋根材を、屋根の下地上に葺く際には、従来から使用されている吊り子を取付けてなる（例えば、特許文献２参照。）。
【０００４】
図８は、従来の樹脂系屋根材に取付ける吊り子の取付構造の要部を示した使用状態の部分斜視図である。
【０００５】
従来、吊り子１００は、基板１０１の前端を上方に向けて折返した係止片部１０２と、前記基板１０１の後端側に開設された取付孔１０３を備えてなる。
【０００６】
そして、下地に葺かれた一方の樹脂系屋根材２００の棟側端に、吊り子１００の後端を位置付けると共に、その取付孔１０３からネジ、釘等の固定具１０４を貫通させて下地Ｓに固定して、一方の樹脂系屋根材２００を下地に葺く。
【０００７】
そして更に、他方の樹脂系屋根材３００を葺くには、この樹脂系屋根材３００の軒側端を、既に取付けた吊り子１００の係止片部１０２に差し込んで係止したうえで、他方の樹脂系屋根材３００の山部３０１棟側端の近傍にネジ、釘等の固定具１０４を上記同様、下地に固定して、他方の樹脂系屋根材３００が、一方の樹脂系屋根材２００と一部重合した状態で下地上に葺いて行くのである。
【特許文献１】特開２００２−１６７９０８号
【特許文献２】特開２００３−２１３８５５号
【発明の開示】
【発明が解決しようとする課題】
【０００８】
しかしながら、従来の樹脂系屋根材に取付ける吊り子の取付構造では、以下の問題がある。
【０００９】
すなわち、吊り子１００は、雨水の浸入防止の為、一方の樹脂系屋根材２００の山部に取付けされるが、この山部の裏面と下地との間には空間が形成されているため、固定具１０４を下地に締め付け過ぎたり、又は、打ち込み過ぎたりすれば、樹脂系屋根材２００の山部頂上が、内側に撓んだ状態で下地に取付けされてしまい、この上に葺かれる他の樹脂系屋根材３００との間に隙間が生じ、この隙間から雨水の浸入が生じるという問題がある。
【００１０】
一方、固定具１０４の締め付け、又は、打ち込みが弱過ぎると、固定具１０４の抜け外れ、或いは、樹脂系屋根材２００の不十分な固定によって、風雨によるガタツキが生じてしまう問題がある。
【００１１】
本発明は、かかる課題を解決することを目的とするもので、樹脂系屋根材に取付けされる吊り子の締め付け又は打ち込み具合を簡単且つ安定して行うことができる吊り子の取付構造を提供する。
【課題を解決するための手段】
【００１２】
上記目的を達成するため、
請求項１に係る吊り子の取付構造は、屋根の下地上に葺かれた樹脂系屋根材に取付ける吊り子の取付構造であって、前記吊り子は、基板の前方に上方に向けて折返した係止片部と、前記基板に開設された取付孔を備えてなり、前記吊り子を所望の樹脂系屋根材の山部棟側端の近傍に配置すると共に、前記樹脂系屋根材と下地との間には、この樹脂系屋根材を支持するスペーサーが設置され、前記吊り子の取付孔から前記スペーサーを介して固定具を下地に捩じ込み又は打ち込みして、前記吊り子を所望の樹脂系屋根材に取り付けてなることを特徴とする。
【００１３】
請求項２に係る吊り子の取付構造は、請求項１において、吊り子とスペーサーは、一体形成されてなることを特徴とする。
【００１４】
請求項３に係る吊り子の取付構造は、請求項１において、吊り子とスペーサーは、別体で形成されてなることを特徴とする。
【発明の効果】
【００１５】
本発明によれば、次のような効果がある。
請求項１に係る吊り子の取付構造によれば、樹脂系屋根材と下地との間には、この樹脂系屋根材を支持するスペーサーが設置され、前記スペーサーを介してネジ、釘等の固定具を下地に捩じ込み又は打ち込みされる構造にしている。
【００１６】
このように、スペーサーが樹脂系屋根材を支持しているので、固定具を、スペーサーにしっかりと締め付け、又は、打ち込みするだけで、簡単に前記固定具を下地に対して一定の力で締め付け、又は、打ち込むことができる。
【００１７】
そのため、樹脂系屋根材の山部頂上が、内側に撓んだ状態で下地に取付けられることを防止し、吊り子を取り付ける樹脂系屋根材と、この上に葺かれる他の樹脂系屋根材との間に隙間が生じる危険もなく、この隙間からの雨水の浸入を確実に防止できる。
【００１８】
請求項２に係る吊り子の取付構造によれば、吊り子とスペーサーは、一体形成されてなるので、スペーサーを取り付けると同時に吊り子の位置決めも同時に行うことができ、より簡単に吊り子を取り付けできる。
【００１９】
請求項３に係る吊り子の取付構造によれば、吊り子とスペーサーは、別体で形成されてなるので、吊り子とスペーサーを異なる材質で各々形成できるうえ、吊り子の取付け位置と、異なる位置にスペーサーを設置することができ、より簡単にスペーサーを取り付けできる。
【発明を実施するための最良の形態】
【００２０】
以下、本発明に係る吊り子の取付構造Ａを図面とともに説明する。
【実施例１】
【００２１】
図１は、本発明に係る樹脂系屋根材に取付けされる吊り子の取付構造Ａの一実施例を示した使用状態図、図２は、図１の破線Ｂで囲まれた吊り子の取付け部分を拡大した縦断面図、図３（ａ）、（ｂ）は、図１、図２で示した吊り子１の斜視図及び一部断面した状態の斜視図である。
【００２２】
この吊り子１０の取付構造Ａは、屋根の下地Ｓ上に葺かれる樹脂系屋根材Ｙに取付ける構造であって、吊り子１は、基板１１の前方に上方に向けて折返した係止片部１２と、基板１１の適所に開設された取付孔１３を備えてなり、吊り子１を所望の樹脂系屋根材Ｙの山部Ｙ１棟側端の近傍に配置すると共に、樹脂系屋根材Ｙと下地Ｓとの間には、この樹脂系屋根材Ｙを支持するスペーサー２が設置され、吊り子１の取付孔１３からスペーサー２を介してネジ、釘等の固定具３を下地Ｓに捩じ込み又は打ち込みして、吊り子１を所望の樹脂系屋根材Ｙに取り付けるものである。
【００２３】
以下、各部材について詳説する。
【００２４】
本実施例で示す吊り子１は、スペーサー２と一体形成されてなり、例えば、金属片を折り曲げて形成したり、又は、合成樹脂材で一体形成してなる。
【００２５】
ここでは、基板１１の後端を、樹脂系屋根材Ｙの厚み以上に下方へ折り曲げたうえで、再び前方に向けて連結片１４を取付孔１３を越える程度まで延設し、この連結片１４の前端にスペーサー２を一体形成している。
【００２６】
このスペーサー２は、連結片１４の前端両側から下方に延びるスペーサー片２１を延設し、その下端を各々内側に向けて基台片２２を形成してなり、この基台片２２の間に固定具３が通じる程度の隙間２３を設けている。  なお、下地Ｓの傾斜に応じて、基台片２２の下面に傾斜２２ａを設けることもできる。
【００２７】
また、スペーサー２の連結片１４には、吊り子１の取付孔１３に重合される位置に貫通孔１４ａが開設している。なお、この貫通孔１４ａに代えて、連結片１４の前端から貫通孔１４ａにまで延びる長孔（不図示）を開設しても構わない。
【００２８】
このように構成された本発明の吊り子１は、以下の要領で取付けされる。
【００２９】
先ず、下地Ｓに葺かれた一方の樹脂系屋根材Ｙの山部Ｙ１棟側端から、吊り子１の基板１１と連結片１４とで上下に挟み込むように嵌挿して、基板１１を山部Ｙ１上に設置する。
【００３０】
このとき、一体形成されたスペーサー２は、一方の樹脂系屋根材Ｙと下地Ｓとの間に挿入され、このスペーサー２が一方の樹脂系屋根材Ｙの山部Ｙ１棟側端近傍を支持することとなる。
【００３１】
そして、吊り子１の取付孔１３に向けて、上方からネジ、釘等の固定具３を捩じ込み又は打ち込みすれば、この固定具３は、連結片１４の貫通孔１４ａ及び隙間２３を通じて下地Ｓに固定され、吊り子１が一方の樹脂系屋根材Ｙに取付けられると共に、一方の樹脂系屋根材Ｙが下地Ｓに葺かれる。
【００３２】
そして更に、他方の樹脂系屋根材Ｙ’を葺くには、この樹脂系屋根材Ｙ’の軒側端を、既に取付けた吊り子１の係止片部１２に差し込んで係止したうえで、他方の樹脂系屋根材Ｙ’の山部Ｙ１棟側端の近傍にネジ、釘等の固定具（不図示）を上記同様、下地Ｓに固定して、他方の樹脂系屋根材
Ｙ’が、一方の樹脂系屋根材Ｙと一部重合した状態で下地Ｓ上に葺かれるのである。
【００３３】
本発明に係る吊り子１の取付構造Ａによれば、樹脂系屋根材Ｙと下地Ｓとの間には、この樹脂系屋根材Ｙを支持するスペーサー２が設置され、このスペーサー２を介してネジ、釘等の固定具３を下地Ｓに捩じ込み又は打ち込む構造にしている。
【００３４】
すなわち、スペーサー２が樹脂系屋根材Ｙを支持しているので、固定具３を、スペーサー２にしっかりと締め付け、又は、打ち込みするだけで、簡単に固定具３を下地Ｓに対して一定の力で締め付け、又は、打ち込むことができる。
【００３５】
そのため、樹脂系屋根材Ｙの山部Ｙ１頂上が、内側に撓んだ状態で下地Ｓに取付けられることを防止し、吊り子１を取り付ける樹脂系屋根材Ｙと、この上に葺かれる他の樹脂系屋根材Ｙ’との間に隙間が生じる危険もなく、この隙間からの雨水の浸入を確実に防止できる。
【実施例２】
【００３６】
図４〜図７は、本発明に係る吊り子の取付構造Ａの他の実施例を示した使用状態図及び要部拡大図である。
【００３７】
これら各図で示す吊り子１は、何れも従来品を利用したもので、この吊り子１がスペーサー２と別体形成されてなる点に特徴がある。
【００３８】
なお、図１〜図３で示した部材と共通の部材には、同一番号を付して、その説明を省略することとし、ここでは、各実施例の特徴についてのみ説明する。
【００３９】
図４及び図５は、吊り子１の取付孔１３の下方に配置され、且つ、樹脂系屋根材Ｙの山部Ｙ１の裏面と下地Ｓとの間に略密着状態に嵌め込まれるスペーサー２を用いた例を軒側から見た斜視図を示している。
【００４０】
この図４で示すスペーサー２は、硬質ゴムや樹脂材等で形成され、取付孔１３に対応する位置には、上下に貫通する長孔２３‘を形成し、この長孔２３’を通じて、固定具３が下地Ｓに捩じ込み又は打ち込みして、吊り子１を樹脂系屋根材Ｙに取り付ける構造にしている。
【００４１】
そして、吊り子１の取付孔１３と、スペーサー２の長孔２３’を重合したうえで、取付孔１３に向けて上方から固定具３を差し込み又は捩じ込みして、これを下地Ｓに固定するのである。
【００４２】
また、図５で示すスペーサー２は、樹脂系屋根材Ｙの山部Ｙ１の裏面と下地Ｓまでの長さを有する筒状に形成した脚部２ａを備え、この脚部２ａの上端には、上方に拡開された係止部２ｂを設け、この係止部２ｂの上端には、段落ちされた脚部２ａと同外径の首部２ｃを介して上端の皿部２ｄへ一体形成している。そして、皿部２ｄの中央には、上下に貫通する取付孔２ｅを開設している。
【００４３】
一方、樹脂系屋根材Ｙの山部Ｙ１には、スペーサー２の首部２ｃ及び皿部２ｄが嵌合される段付き穴Ｙ１１を形成している。
【００４４】
そして、スペーサー２の脚部２ａ下端を段付き穴Ｙ１１に上方から差し込めば、係止部２ｂが段付き穴Ｙ１１に到達し、これを押圧すれば、係止部２ｂが段付き穴Ｙ１１を貫通すると同時に係止され、脚部２ａの下端が下地Ｓに接合する。そして、スペーサー２の取付孔２ｅに向けて上方から固定具３を差し込み又は捩じ込みして、これを下地Ｓに固定するのである。
【００４５】
これら図４、図５で示すような吊り子１の取付構造Ａによれば、吊り子１とスペーサー２が別体で形成されてなるので、吊り子１とスペーサー２とを異なる材質で各々形成でき、樹脂系屋根材Ｙの強度に応じたスペーサー２を形成できる。
【００４６】
図６及び図７は、スペーサー２の別例を示すもので、何れも棟側から見た斜視図を示している。
【００４７】
この図６で示すスペーサー２は、金属板を折り曲げて形成され、金属帯板２１ｂの両側を、樹脂系屋根材Ｙの裏面形状に合わせて下方へ折り曲げ、下地Ｓに届くようにスペーサー片２２ｂを形成し、その下端を各々内側に向けて基台片２４ｂを形成してなる。なお、スペーサー片２２ｂと基台片２４との折り曲げ部分には、補強用のリブ２３ｂを形成するのが良い。
【００４８】
一方、金属帯板２１ｂの棟側端縁には、上方に一旦張り出して軒側に向けて折り曲げたクリップ片２５ｂを形成してなる。
【００４９】
そして、スペーサー２のクリップ片２５ｂを、一方の樹脂系屋根材Ｙの山部Ｙ１棟側端から差し込んで、この樹脂系屋根材Ｙを支持したうえで、このスペーサー２の略軒側に取り付け、従来と同じ要領で、吊り子１を下地Ｓに固定するのである。
【００５０】
また、図７で示すスペーサー２は、図６と同様、金属板を折り曲げて形成され、金属帯板２１ｃの上端に、樹脂系屋根材Ｙの山部Ｙ１棟側端を係止可能なクリップ片２２ｃを形成すると共に、下端には、樹脂系屋根材Ｙの棟側端よりも更に棟側に突出された基台片２３ｃを下地Ｓに届くように形成し、この基台片２３ｃに取付用孔部２４ｃを形成してなる。
【００５１】
そして、スペーサー２のクリップ片２２ｃを、一方の樹脂系屋根材Ｙの山部Ｙ１棟側端から差し込んで、この樹脂系屋根材Ｙを支持したうえで、この基台片２３ｃの取付用孔部２４ｃに向けてネジ、釘等の固定具を下地Ｓに向けて捩じ込み又は打ち込みして、スペーサー２を固定する。そして、図６と同じ要領で、一方の樹脂系屋根材Ｙの山部Ｙ１棟側端に吊り子１を取り付けて、これを下地Ｓに固定するのである。
【００５２】
これら図６、図７で示すような吊り子１の取付構造Ａによれば、吊り子１とスペーサー２が別体で形成されてなるので、吊り子１とスペーサー２とを異なる材質で各々形成でき、樹脂系屋根材Ｙの強度に応じたスペーサー２を形成できることに加え、クリップ片２５ｂ、２２ｃを設けているので、スペーサー２を樹脂系屋根材Ｙの山部Ｙ１棟側端にワンタッチで取付けできる。
【００５３】
また、吊り子１の取付け位置と、異なる位置にスペーサー２を設置することができ、より簡単にスペーサー２を取り付けできる。しかも、従来の吊り子１をそのまま利用できるので、製造コストも安価である。
【図面の簡単な説明】
【００５４】
【図１】本発明に係る樹脂系屋根材に取付けされる吊り子の取付構造Ａの一実施例を示した使用状態図である。
【図２】図１の破線Ｂで囲まれた吊り子の取付け部分を拡大した縦断面図である。
【図３】（ａ）、（ｂ）は、図１、図２で示した吊り子１の斜視図及び一部断面した状態の斜視図である。
【図４】発明に係る吊り子の取付構造Ａの他の実施例（枕型）を示した軒側から見た使用状態図及び要部拡大図である。
【図５】発明に係る吊り子の取付構造Ａの他の実施例（アンカー型）を示した軒側から見た使用状態図及び要部拡大図である。
【図６】発明に係る吊り子の取付構造Ａの他の実施例（別位置に設置するクリップ型）を示した棟側から見た使用状態図及び要部拡大図である。
【図７】発明に係る吊り子の取付構造Ａの他の実施例（別位置に設置する固定クリップ型）を示した棟側から見た使用状態図及び要部拡大図である。
【図８】従来の樹脂系屋根材に取付ける吊り子の取付構造の要部を示した使用状態の部分斜視図である。
【符号の説明】
【００５５】
Ａ      吊り子の取付構造
Ｙ      樹脂系屋根材
Ｙ１    山部
Ｓ      下地
１      吊り子
１１    基板
１２    係止片部
１３    取付孔
３      固定具
【図１】
2006328813.tif 000003
【図２】
2006328813.tif 000004
【図３】
2006328813.tif 000005
【図４】
2006328813.tif 000006
【図５】
2006328813.tif 000007
【図６】
2006328813.tif 000008
【図７】
2006328813.tif 000009
【図８】
2006328813.tif 000010